(57)【要約】      （修正有）【課題】改良されたＷｉｎｄｏｗｓ（登録商標）タブレットパソコンを提供する。【解決手段】タブレットパソコンにおけるタブレット本体１０は、二つの対向する正面１１と背面とを含み、正面に表示パネル２０のウィンドウ領域に対応するウィンドウ孔１３が設けられている。また、タブレットパソコンは、正面に位置して表示パネルのウィンドウ領域の位置に対応するメインタッチパネル３０および背面に位置するタッチパッドをさらに含み、メインタッチパネルとタッチパッドとがそれぞれマザーボードに電気的に接続される。また、背面に設置されたタッチパッドにより移動ポイントと移動位置を正確に把握し、微小な移動または小さなアイコンのタップを実現して、誤タップを回避し、かつ正面に位置するメインタッチパネルの正常入力に影響を及ばさず、タブレットパソコンの背面に位置する指で直接操作でき、指の位置を移動する必要がないため、操作しやすい。【選択図】図１
0003205569.tif 000002
【実用新案登録請求の範囲】
【請求項１】
Ｗｉｎｄｏｗｓ（登録商標）タブレットパソコンにおいて、タブレット本体（１０）、タブレット本体（１０）内に設置されたマザーボード、および前記マザーボードと電気的に接続された表示パネル（２０）を含み、前記タブレット本体（１０）は、二つの対向する正面（１１）と背面（１２）とを含み、前記正面（１１）に前記表示パネル（２０）のウィンドウ領域に対応するウィンドウ孔（１３）が設けられ、前記Ｗｉｎｄｏｗ（登録商標）ｓタブレットパソコンは、前記正面（１１）に位置し前記表示パネル（２０）のウィンドウ領域の位置に対応するメインタッチパネル（３０）および前記背面（１２）に位置するタッチパッド（４０）をさらに含み、前記メインタッチパネル（３０）と前記タッチパッド（４０）とがそれぞれ前記マザーボードに電気的に接続されることを特徴とするＷｉｎｄｏｗｓ（登録商標）タブレットパソコン。
【請求項２】
前記背面（１２）の外周縁から中心位置に向かってずれるように、手で把持できる環状把持エリア（１２ａ）が形成されており、前記タッチパッド（４０）が前記把持エリア（１２ａ）内に設置され、かつ環状をなして前記把持エリア（１２ａ）に沿って設置されることを特徴とする請求項１に記載のＷｉｎｄｏｗｓ（登録商標）タブレットパソコン。
【請求項３】
前記背面（１２）は、二つの対向する第一側縁（１２１）と第二側縁（１２２）、および二つの対向する第三側縁（１２３）と第四側縁（１２４）を含み、前記タッチパッド（４０）は前記背面（１２）に位置する少なくとも一つの方向制御タッチエリア（４１）を含み、前記方向制御タッチエリア（４１）の各々が前記背面（１２）の一方の側縁に近接する周縁位置に設置されることを特徴とする請求項１に記載のＷｉｎｄｏｗｓ（登録商標）タブレットパソコン。
【請求項４】
前記第三側縁（１２３）と第四側縁（１２４）は前記Ｗｉｎｄｏｗｓ（登録商標）タブレットパソコンの二つの対向する幅方向縁部側にそれぞれ位置し、前記タッチパッド（４０）は二つの方向制御タッチエリア（４１）を含み、かつ前記Ｗｉｎｄｏｗｓ（登録商標）タブレットパソコンの背面（１２）の前記第三側縁（１２３）と第四側縁（１２４）に近接する位置にそれぞれ設置されることを特徴とする請求項３に記載のＷｉｎｄｏｗｓ（登録商標）タブレットパソコン。
【請求項５】
前記背面（１２）は、二つの対向する第一側縁（１２１）と第二側縁（１２２）、および二つの対向する第三側縁（１２３）と第四側縁（１２４）を含み、前記タッチパッド（４０）は少なくとも一つの方向制御タッチエリア（４１）を含み、前記方向制御タッチエリア（４１）の各々がそれぞれ前記背面（１２）の二つの隣接する側縁が交わる一つのコーナー部に設置されることを特徴とする請求項１に記載のＷｉｎｄｏｗｓ（登録商標）タブレットパソコン。
【請求項６】
前記タッチパッド（４０）の表面と前記背面（１２）の外面とが平らになっていることを特徴とする請求項３〜５のいずれか一項に記載のＷｉｎｄｏｗｓ（登録商標）タブレットパソコン。
【請求項７】
前記タッチパッド（４０）の表面が前記背面（１２）の外面より高くなってことを特徴とする請求項３〜５のいずれか一項に記載のＷｉｎｄｏｗｓ（登録商標）タブレットパソコン。
【請求項８】
前記タッチパッド（４０）の表面が前記背面（１２）の外面より凹んでいることを特徴とする請求項３〜５のいずれか一項に記載のＷｉｎｄｏｗｓ（登録商標）タブレットパソコン。
【請求項９】
前記背面（１２）は、前記タッチパッド（４０）の周辺に沿って設置されかつ前記背面（１２）から突出した突出識別線を含むことを特徴とする請求項６〜８のいずれか一項に記載のＷｉｎｄｏｗｓ（登録商標）タブレットパソコン。
【請求項１０】
前記タッチパッド（４０）には、前記方向制御タッチエリア（４１）と隣り合って設置される選択タッチエリア（４２）および機能タッチエリア（４３）がさらに設けられ、前記選択タッチエリア（４２）および機能タッチエリア（４３）は前記方向制御タッチエリア（４１）に設置されることを特徴とする請求項３〜５のいずれか一項に記載のＷｉｎｄｏｗｓ（登録商標）タブレットパソコン。
【請求項１１】
前記Ｗｉｎｄｏｗｓ（登録商標）タブレットパソコンは、前記タッチパッド（４０）のオンオフを制御するためのタッチスイッチボタン（５０）をさらに含み、前記タッチスイッチボタン（５０）は前記マザーボードと電気的に接続されることを特徴とする請求項１〜５のいずれか一項に記載のＷｉｎｄｏｗｓ（登録商標）タブレットパソコン。
【考案の詳細な説明】
【技術分野】
【０００１】
本考案は、コンシューマ電子デジタル製品に関し、具体的にはＷｉｎｄｏｗｓ（登録商標）タブレットパソコンに関する。
【背景技術】
【０００２】
関連技術におけるＷｉｎｄｏｗｓ（登録商標）タブレットパソコンは一般に正面のメインタッチパネルをタップすることにより操作命令の入力が行われる。タブレットはますます広く使用されているが、Ｗｉｎｄｏｗｓ（登録商標）ＯＳには二種類のポインタ制御操作があり、一つはメインタッチパネルによる操作であり、もう一つはマウスによる操作である。Ｗｉｎｄｏｗｓ（登録商標）タブレットにおいて、この二種類の操作方法は互いに代替できず、例えばＷｉｎｄｏｗｓ（登録商標）８におけるマウス機能の多くはタッチパネルで代替できない。
【０００３】
また、Ｗｉｎｄｏｗｓ（登録商標）タブレットパソコンはサイズが小さいため、タッチパネルによるＷｉｎｄｏｗｓ（登録商標）８システムの操作では、多くの機能の操作が難しい。例えば最小化ボタンの使用は、図形が小さいために指で操作するのが難しい。よって、顧客の使用に様々な不便をもたらした。
【考案の概要】
【考案が解決しようとする課題】
【０００４】
本考案が解決しようとする技術的課題は、改良されたＷｉｎｄｏｗｓ（登録商標）タブレットパソコンを提供することである。
【課題を解決するための手段】
【０００５】
本考案がその技術的課題を解決するために採用した技術態様は、タブレット本体、タブレット本体内に設置されたマザーボード、およびマザーボードと電気的に接続された表示パネルを含み、前記タブレット本体は、二つの対向する正面と背面とを含み、前記正面に表示パネルのウィンドウ領域に対応するウィンドウ孔が設けられているＷｉｎｄｏｗｓ（登録商標）タブレットパソコンを構成することである。
【０００６】
前記Ｗｉｎｄｏｗｓ（登録商標）タブレットパソコンは、前記正面に位置し前記表示パネルのウィンドウ領域の位置に対応するメインタッチパネルおよび前記背面に位置するタッチパッドをさらに含み、前記メインタッチパネルと前記タッチパッドとがそれぞれマザーボードに電気的に接続される。
【０００７】
好ましくは、前記背面の外周縁から中心位置に向かってずれるように、手で把持できる環状把持エリアが形成されており、前記タッチパッドが前記把持エリア内に設置され、かつ環状をなして前記把持エリアに沿って設置される。
【０００８】
好ましくは、前記背面は、二つの対向する第一側縁と第二側縁、および二つの対向する第三側縁と第四側縁を含み、前記タッチパッドは前記背面に位置する少なくとも一つの方向制御タッチエリアを含み、前記方向制御タッチエリアの各々が前記背面の一方の側縁に近接する周縁位置に設けられる。
【０００９】
好ましくは、前記第三側縁と第四側縁は前記Ｗｉｎｄｏｗｓ（登録商標）タブレットパソコンの二つの対向する幅方向縁部側にそれぞれ位置し、前記タッチパッドは二つの方向制御タッチエリアを含み、かつ前記Ｗｉｎｄｏｗｓ（登録商標）タブレットパソコンの背面の前記第三側縁と第四側縁に近接する位置それぞれに設置される。
【００１０】
好ましくは、前記背面は、二つの対向する第一側縁と第二側縁、および二つの対向する第三側縁と第四側縁を含み、前記タッチパッドは少なくとも一つの方向制御タッチエリアを含み、前記方向制御タッチエリアの各々がそれぞれ前記背面の二つの隣接する側縁が交わる一つのコーナー部に設置される。
【００１１】
好ましくは、前記タッチパッドの表面と前記背面の外面が平らになっている、または、前記タッチパッドの表面が前記背面の外面より高くなっている、または、前記タッチパッドの表面が前記背面の外面より凹んでいる。
【００１２】
好ましくは、前記背面は、前記タッチパッドの周辺に沿って設置されかつ前記背面から突出した突出識別線を含む。
【００１３】
好ましくは、前記タッチパッドには、前記方向制御タッチエリアと隣り合って設置される選択タッチエリアおよび機能タッチエリアがされに設けられ、前記選択タッチエリアおよび機能タッチエリアは前記方向制御タッチエリアに設置される。
【００１４】
好ましくは、前記Ｗｉｎｄｏｗｓ（登録商標）タブレットパソコンは、前記タッチパッドのオンオフを制御するためのタッチスイッチボタンをさらに含み、前記タッチスイッチボタンは前記マザーボードと電気的に接続される。
【００１５】
好ましくは、前記タッチスイッチボタンが前記タブレット本体の側縁に設置される。
【００１６】
本考案のＷｉｎｄｏｗｓ（登録商標）タブレットパソコンを実施することで次のような有益な効果がある。すなわち、本考案は背面にタッチパッドが設置されることによって、マウスの役割をし、移動ポイントと移動位置を正確に把握し、微小な移動や小さなアイコンのタップを実現して、誤タップを回避し、かつ正面に位置するメインタッチパネルの正常入力に影響を及ばさず、把持後にＷｉｎｄｏｗｓ（登録商標）タブレットパソコンの背面に位置する指で直接操作でき、指の位置を移動する必要がないため、操作しやすい。以下において、図面と実施例を参照しながら本考案についてさらに説明する。
【図面の簡単な説明】
【００１７】
【図１】本考案の実施例におけるＷｉｎｄｏｗｓ（登録商標）タブレットパソコンの正面の斜視構造模式図である。
【図２】本考案の実施例におけるＷｉｎｄｏｗｓ（登録商標）タブレットパソコンの背面の斜視構造模式図である。
【図３】本考案の他の実施例におけるタッチパッドがＷｉｎｄｏｗｓ（登録商標）タブレットパソコンの背面のコーナー部に設置されている場合の斜視構造模式図である。
【考案を実施するための形態】
【００１８】
本考案の技術的特徴、目的および効果に対する理解がより明確になるように、図面を参照しながら本考案の具体的な実施形態を詳しく説明する。
【００１９】
図１および図２に示すように、本考案の好ましい一実施例におけるＷｉｎｄｏｗｓ（登録商標）タブレットパソコンは、タブレット本体１０、マザーボード、表示パネル２０、メインタッチパネル３０およびタッチパッド４０を含む。マザーボードと表示パネル２０とがタブレット本体１０内に設置され、表示パネル２０がマザーボードと電気的に接続される。タブレット本体１０は二つの対向する正面１１と背面１２とを含み、正面１１に表示パネル２０のウィンドウ領域に対応するウィンドウ孔１３が設けられて、ユーザが表示パネル２０の表示内容を観察できるようにする。
【００２０】
メインタッチパネル３０は正面１１に位置し、ウィンドウ孔１３上に被覆されてマザーボードと電気的に接続され、かつ表示パネル２０のウィンドウ領域の位置に対応して、タッチの入力ポイントと表示パネル２０上に表示される位置とがマッチングするようにする。
【００２１】
タッチパッド４０は背面１２に位置してマザーボードと電気的に接続され、マウスの役割をし、ユーザがＷｉｎｄｏｗｓ（登録商標）タブレットパソコンを把持する際に、Ｗｉｎｄｏｗｓ（登録商標）タブレットパソコンの背面に位置する人差指、中指などの指で簡単にタッチして、容易に微小な位置移動や一部の小さなアイコンのタップを簡単に行うことができ、タッチでのタップポイントの移動位置を正確に把握するのに有益であり、かつ正面１１に位置するメインタッチパネル３０の正常入力に影響を及ばさず、Ｗｉｎｄｏｗｓ（登録商標）タブレットパソコンの背面に位置する指で直接操作でき、把持している指の位置を移動する必要がなく、操作しやすい。
【００２２】
背面１２の外周縁から中心位置に向かってずれるように、手で把持できる環状把持エリア１２ａが形成されており、タッチパッド４０が把持エリア１２ａ内に設置され、一部の実施例において、タッチパッド４０は環状をなして把持エリア１２ａに沿って設置されてもよい。ユーザの使用時、指を背面１２の中心部位まで伸ばさなくても操作を行える。勿論、把持エリア１２ａのサイズは限定されず、Ｗｉｎｄｏｗｓ（登録商標）タブレットパソコンの外形サイズおよび対象とするグループなどの要素によって決定できる。
【００２３】
背面１２は、二つの対向する第一側縁１２１と第二側縁１２２、および二つの対向する第三側縁１２３と第四側縁１２４を含み、一部の実施例において、第一側縁１２１と第二側縁１２２の設置方向はＷｉｎｄｏｗｓ（登録商標）タブレットパソコンの長手方向であり、第三側縁１２３と第四側縁１２４はＷｉｎｄｏｗｓ（登録商標）タブレットパソコンの二つの対向する幅方向縁部側にそれぞれ位置する。
【００２４】
さらに、Ｗｉｎｄｏｗｓ（登録商標）タブレットパソコンのサイズが大きい場合、タッチパッド４０は、背面に位置する一つの方向制御タッチエリア４１を含み、かつ背面１２の一方の側縁に近接する周縁位置に位置されて、指でタッチしやすい。他の実施例において、タッチパッド４０は、背面に位置する二つ、三つ、四つまたはそれ以上の方向制御タッチエリア４１を含んでもよく、各々の方向制御タッチエリア４１が背面の一方の側縁に近接する周縁位置に設けられる。Ｗｉｎｄｏｗｓ（登録商標）タブレットパソコンを別の向きに変える場合、表示パネル２０の表示方向の回転はいずれも背面１２タッチパッド４０の正常なタッチに影響を及ばさない。
【００２５】
好ましくは、Ｗｉｎｄｏｗｓ（登録商標）タブレットパソコンを把持する習慣によれば、ユーザの手は一般にＷｉｎｄｏｗｓ（登録商標）タブレットパソコンの長手方向の二つの対向端に把持し、よって、タッチパッド４０は二つの方向制御タッチエリア４１を含んでもよく、かつＷｉｎｄｏｗｓ（登録商標）タブレットパソコンの背面１２の第三側縁１２３と第四側縁１２４に近接する位置に設置され、ユーザが使用時に左右両側のいずれからも便利に制御できる。勿論、方向制御タッチエリア４１は一つだけ含んでもよいし、または他方の側縁に近接する位置に設置されてもよい。
【００２６】
図３に示すように、一部の人の使用習慣に鑑みて、他の実施例において、タッチパッド４０の方向制御タッチエリア４１は二つの隣接する側縁が交わる一つのコーナー部に設置されてもよく、両手でＷｉｎｄｏｗｓ（登録商標）タブレットパソコンの両コーナー部を把持するときのタッチに便利であり、背面１２のどのコーナー部とするかについては実際の状況に基づいて決定してもよく、方向制御タッチエリア４１が複数のコーナー部に同時に設置されてもよく、かつ各方向制御タッチエリア４１の命令は同期する。
【００２７】
また、図２に示すように、一部の実施例において、タッチパッド４０の表面と背面１２の外面とが平らになっている。タッチパッド４０は背面にあるため、その位置が目立たなく、区分するために、背面１２は、タッチパッド４０の周辺に沿って設置されかつ背面１２から突出した突出識別線をさらに含み、ユーザは見なくとも手で触ることでタッチパッド４０の領域を判別できるので、ユーザにとって便利である。
【００２８】
他の実施例において、タッチパッド４０の表面を背面１２の外面より高くする、または、タッチパッド４０の表面を背面１２の外面より凹ませることにより、ユーザが見なくともタッチパッド４０の領域を判別できるようにしてもよい。
【００２９】
タッチパッド４０が背面１２に置かれることにより、タッチパッド４０をタッチした後に表示パネル２０に表示される横方向移動方向とメインタッチパネル３０をタッチした後に表示パネル２０に表示される横方向移動方向とが逆になる。ソフトウェアの設定により、正常使用時には、タッチパッド４０をタッチした後に横方向に移動して出される指令とメインタッチパネル３０で同じ方向に移動するようにタッチして出される指令とは同一である。
【００３０】
操作制御を行いやすくするために、タッチパッド４０には方向制御タッチエリア４１と隣り合って設置される選択タッチエリア４２と機能タッチエリア４３とが設置され、選択タッチエリア４２をタップすることは選択をタップすることに相当し、機能タッチエリア４３をタップすると表示パネル２０にユーザが選択する対話メニューが現れる。選択タッチエリア４２と機能タッチエリア４３とが方向制御タッチエリア４１の背面中心に近接する側に設置されて、誤操作を防止する。
【００３１】
図２および図３に示すように、背面１２のタッチパッド４０の誤接触を防止するために、Ｗｉｎｄｏｗｓ（登録商標）タブレットパソコンは、タッチパッド４０のオンオフを制御するためのタッチスイッチボタン５０をさらに含んでもよく、タッチスイッチボタン５０はタブレット本体１０の側縁に設置され、かつマザーボードと電気的に接続され、タッチパッド４０のオンオフを制御することに用いられる。
【００３２】
他の実施例において、タッチパッド４０はソフトウェアにより制御されてもよく、例えば「Ｘ」を描くとタッチパッド４０をオフし、「Ｏ」を描くとタッチパッド４０をオンにするなどのようなメインタッチパネル３０に図形を描くことでタッチパッド４０の機能がオンオフされる。また３回連続タップするとオン、４回連続タップするとオフなどのような所定の頻度でタッチパッド４０を連続タップすることによりタッチパッド４０の機能をオンオフしてもよい。
【００３３】
上述の各技術特徴は任意に組み合わせて用いることができ、制限されないことが理解できる。
【００３４】
以上に説明したことは単に本考案の実施例であって、本考案の請求の範囲を制限するものではなく、本考案の明細書および図面の内容によりなされた等価の構造、等価のプロセスの置き換え、あるいは関連する他の技術分野への直接または間接的な使用は、いずれも同様の理由により本考案の特許保護範囲内に含まれる。
【符号の説明】
【００３５】
１０、タブレット本体
１１、正面
１２、背面
１３、ウィンドウ孔
２０、表示パネル
３０、メインタッチパネル
４０、タッチパッド
４１、方向制御タッチエリア
４２、選択タッチエリア
４３、機能タッチエリア
５０、タッチスイッチボタン
１２１、第一側縁
１２２、第二側縁
１２３、第三側縁
１２４、第四側縁
【図１】
0003205569.tif 000003
【図２】
0003205569.tif 000004
【図３】
0003205569.tif 000005
【手続補正書】
【提出日】平成28年5月26日(2016.5.26)
【手続補正１】
【補正対象書類名】実用新案登録請求の範囲
【補正対象項目名】全文
【補正方法】変更
【補正の内容】
【実用新案登録請求の範囲】
【請求項１】
所定のオペレーティングシステムを使用したタブレットパソコンにおいて、タブレット本体（１０）、タブレット本体（１０）内に設置されたマザーボード、および前記マザーボードと電気的に接続された表示パネル（２０）を含み、前記タブレット本体（１０）は、二つの対向する正面（１１）と背面（１２）とを含み、前記正面（１１）に前記表示パネル（２０）のウィンドウ領域に対応するウィンドウ孔（１３）が設けられ、
前記所定のオペレーティングシステムを使用したタブレットパソコンは、前記正面（１１）に位置し前記表示パネル（２０）のウィンドウ領域の位置に対応するメインタッチパネル（３０）および前記背面（１２）に位置するタッチパッド（４０）をさらに含み、前記メインタッチパネル（３０）と前記タッチパッド（４０）とがそれぞれ前記マザーボードに電気的に接続されることを特徴とする所定のオペレーティングシステムを使用したタブレットパソコン。
【請求項２】
前記背面（１２）の外周縁から中心位置に向かってずれるように、手で把持できる環状把持エリア（１２ａ）が形成されており、前記タッチパッド（４０）が前記把持エリア（１２ａ）内に設置され、かつ環状をなして前記把持エリア（１２ａ）に沿って設置されることを特徴とする請求項１に記載の所定のオペレーティングシステムを使用したタブレットパソコン。
【請求項３】
前記背面（１２）は、二つの対向する第一側縁（１２１）と第二側縁（１２２）、および二つの対向する第三側縁（１２３）と第四側縁（１２４）を含み、前記タッチパッド（４０）は前記背面（１２）に位置する少なくとも一つの方向制御タッチエリア（４１）を含み、前記方向制御タッチエリア（４１）の各々が前記背面（１２）の一方の側縁に近接する周縁位置に設置されることを特徴とする請求項１に記載の所定のオペレーティングシステムを使用したタブレットパソコン。
【請求項４】
前記第三側縁（１２３）と第四側縁（１２４）は前記所定のオペレーティングシステムを使用したタブレットパソコンの二つの対向する幅方向縁部側にそれぞれ位置し、前記タッチパッド（４０）は二つの方向制御タッチエリア（４１）を含み、かつ前記所定のオペレーティングシステムを使用したタブレットパソコンの背面（１２）の前記第三側縁（１２３）と第四側縁（１２４）に近接する位置にそれぞれ設置されることを特徴とする請求項３に記載の所定のオペレーティングシステムを使用したタブレットパソコン。
【請求項５】
前記背面（１２）は、二つの対向する第一側縁（１２１）と第二側縁（１２２）、および二つの対向する第三側縁（１２３）と第四側縁（１２４）を含み、前記タッチパッド（４０）は少なくとも一つの方向制御タッチエリア（４１）を含み、前記方向制御タッチエリア（４１）の各々がそれぞれ前記背面（１２）の二つの隣接する側縁が交わる一つのコーナー部に設置されることを特徴とする請求項１に記載の所定のオペレーティングシステムを使用したタブレットパソコン。
【請求項６】
前記タッチパッド（４０）の表面と前記背面（１２）の外面とが平らになっていることを特徴とする請求項３〜５のいずれか一項に記載の所定のオペレーティングシステムを使用したタブレットパソコン。
【請求項７】
前記タッチパッド（４０）の表面が前記背面（１２）の外面より高くなってことを特徴とする請求項３〜５のいずれか一項に記載の所定のオペレーティングシステムを使用したタブレットパソコン。
【請求項８】
前記タッチパッド（４０）の表面が前記背面（１２）の外面より凹んでいることを特徴とする請求項３〜５のいずれか一項に記載の所定のオペレーティングシステムを使用したタブレットパソコン。
【請求項９】
前記背面（１２）は、前記タッチパッド（４０）の周辺に沿って設置されかつ前記背面（１２）から突出した突出識別線を含むことを特徴とする請求項６〜８のいずれか一項に記載の所定のオペレーティングシステムを使用したタブレットパソコン。
【請求項１０】
前記タッチパッド（４０）には、前記方向制御タッチエリア（４１）と隣り合って設置される選択タッチエリア（４２）および機能タッチエリア（４３）がさらに設けられ、前記選択タッチエリア（４２）および機能タッチエリア（４３）は前記方向制御タッチエリア（４１）に設置されることを特徴とする請求項３〜５のいずれか一項に記載の所定のオペレーティングシステムを使用したタブレットパソコン。
【請求項１１】
前記所定のオペレーティングシステムを使用したタブレットパソコンは、前記タッチパッド（４０）のオンオフを制御するためのタッチスイッチボタン（５０）をさらに含み、前記タッチスイッチボタン（５０）は前記マザーボードと電気的に接続されることを特徴とする請求項１〜５のいずれか一項に記載の所定のオペレーティングシステムを使用したタブレットパソコン。
【手続補正２】
【補正対象書類名】明細書
【補正対象項目名】０００１
【補正方法】変更
【補正の内容】
【０００１】
本考案は、コンシューマ電子デジタル製品に関し、所定のＯＳすなわち、所定のオペレーティングシステムとして、Ｗｉｎｄｏｗｓ（登録商標）をそのオペレーティングシステムとして使用したｗｉｎｄｏｏｗｓタブレットパソコンに関する。
【手続補正３】
【補正対象書類名】明細書
【補正対象項目名】０００４
【補正方法】変更
【補正の内容】
【０００４】
本考案が解決しようとする技術的課題は、改良された、所定のオペレーティングシステムを使用したタブレットパソコンすなわちＷｉｎｄｏｗｓタブレットパソコンを提供することである。
【手続補正４】
【補正対象書類名】明細書
【補正対象項目名】０００５
【補正方法】変更
【補正の内容】
【０００５】
本考案がその技術的課題を解決するために採用した技術態様は、タブレット本体、タブレット本体内に設置されたマザーボード、およびマザーボードと電気的に接続された表示パネルを含み、前記タブレット本体は、二つの対向する正面と背面とを含み、前記正面に表示パネルのウィンドウ領域に対応するウィンドウ孔が設けられている所定のオペレーティングシステムを使用したタブレットパソコンすなわちＷｉｎｄｏｗｓタブレットパソコンを構成することである。